(57)【要約】【課題】接地面に適正に締結することができるアース端子、及び、ワイヤハーネスを提供することを目的とする。【解決手段】アース端子１０１、及び、ワイヤハーネスＷＨ１は、線状導体Ｗ１が接続される導体接続部１０７と、それぞれ導体接続部１０７と接続されて平面状に形成され、接地面３と対向した状態で締結部材１を介して当該接地面３に締結可能である複数の締結部１０３と、複数の締結部１０３を締結部材１による締結方向に沿って段差をつけて連結する段差連結部１０５とを備え、複数の締結部１０３のいずれか１つは、締結方向に対して段差連結部１０５とは反対側の面が接地面３側に位置して当該接地面３に締結されることを特徴とする。この結果、アース端子１０１、及び、ワイヤハーネスＷＨ１は、接地面３に適正に締結することができる、という効果を奏する。【選択図】図１
2017107730.tif 000002
【特許請求の範囲】
【請求項１】
線状導体が接続される導体接続部と、
それぞれ前記導体接続部と接続されて平面状に形成され、接地面と対向した状態で締結部材を介して当該接地面に締結可能である複数の締結部と、
前記複数の締結部を前記締結部材による締結方向に沿って段差をつけて連結する段差連結部とを備え、
前記複数の締結部のいずれか１つは、前記締結方向に対して前記段差連結部とは反対側の面が前記接地面側に位置して当該接地面に締結されることを特徴とする、
アース端子。
【請求項２】
前記導体接続部は、前記締結方向に対して、前記段差連結部によって連結される前記複数の締結部の間の範囲に位置する、
請求項１に記載のアース端子。
【請求項３】
前記締結方向に対して、前記締結部から前記段差連結部とは反対側に突出して形成され前記締結部と前記接地面とが対向する状態で当該接地面と当接し当該締結部と当該接地面との間に前記接地面上の物体を収容可能である異物回避空間部を形成する突出部を備える、
請求項１又は請求項２に記載のアース端子。
【請求項４】
導電性を有する線状の線状導体を有する電線と、
前記線状導体が接続される導体接続部、それぞれ前記導体接続部と接続されて平面状に形成され、接地面と対向した状態で締結部材を介して当該接地面に締結可能である複数の締結部、及び、前記複数の締結部を前記締結部材による締結方向に沿って段差をつけて連結する段差連結部を有するアース端子とを備え、
前記複数の締結部のいずれか１つは、前記締結方向に対して前記段差連結部とは反対側の面が前記接地面側に位置して当該接地面に締結されることを特徴とする、
ワイヤハーネス。
【発明の詳細な説明】
【技術分野】
【０００１】
本発明は、アース端子、及び、ワイヤハーネスに関する。
【背景技術】
【０００２】
ワイヤハーネス等に適用される従来のアース端子として、例えば、特許文献１には、導電性の金属からなる筐体の接地面に非導電膜が被着されてなるボディに対してボルトで取り付けられるアース端子が開示されている。
【先行技術文献】
【特許文献】
【０００３】
【特許文献１】ＷＯ２０１５／０７９９８８号公報
【発明の概要】
【発明が解決しようとする課題】
【０００４】
ところで、上述の特許文献１に記載のアース端子は、例えば、接地面に対するより適正な締結の点で更なる改善の余地がある。
【０００５】
本発明は、上記の事情に鑑みてなされたものであって、接地面に適正に締結することができるアース端子、及び、ワイヤハーネスを提供することを目的とする。
【課題を解決するための手段】
【０００６】
上記目的を達成するために、本発明に係るアース端子は、線状導体が接続される導体接続部と、それぞれ前記導体接続部と接続されて平面状に形成され、接地面と対向した状態で締結部材を介して当該接地面に締結可能である複数の締結部と、前記複数の締結部を前記締結部材による締結方向に沿って段差をつけて連結する段差連結部とを備え、前記複数の締結部のいずれか１つは、前記締結方向に対して前記段差連結部とは反対側の面が前記接地面側に位置して当該接地面に締結されることを特徴とする。
【０００７】
また、上記アース端子では、前記導体接続部は、前記締結方向に対して、前記段差連結部によって連結される前記複数の締結部の間の範囲に位置するものとすることができる。
【０００８】
また、上記アース端子では、前記締結方向に対して、前記締結部から前記段差連結部とは反対側に突出して形成され前記締結部と前記接地面とが対向する状態で当該接地面と当接し当該締結部と当該接地面との間に前記接地面上の物体を収容可能である異物回避空間部を形成する突出部を備えるものとすることができる。
【０００９】
上記目的を達成するために、本発明に係るワイヤハーネスは、導電性を有する線状の線状導体を有する電線と、前記線状導体が接続される導体接続部、それぞれ前記導体接続部と接続されて平面状に形成され、接地面と対向した状態で締結部材を介して当該接地面に締結可能である複数の締結部、及び、前記複数の締結部を前記締結部材による締結方向に沿って段差をつけて連結する段差連結部を有するアース端子とを備え、前記複数の締結部のいずれか１つは、前記締結方向に対して前記段差連結部とは反対側の面が前記接地面側に位置して当該接地面に締結されることを特徴とする。
【発明の効果】
【００１０】
本発明に係るアース端子、及び、ワイヤハーネスは、例えば、接地面に微細な異物等の物体が付着していた場合であっても、接地面に締結される締結部が複数設けられることで、異物に乗り上げずに接地面に締結される締結部が存在する可能性を向上することができる。この場合、アース端子、ワイヤハーネスは、複数の締結部が段差連結部を介して締結方向に沿って段差をつけて連結されることから、接地面の状態に応じて当該接地面に異物等が付着していない位置の締結部を選択的に接地面側に位置するようにして当該接地面に締結することができ、その上で、接地面に異物等が付着している位置の締結部が段差連結部を介して接地面から離間して位置するので、当該異物の影響を受けることを抑制することができる。この結果、アース端子、ワイヤハーネスは、適正に接地面に対向し締結することができる締結部が存在する可能性を向上することができ、接地面に適正に締結することができる、という効果を奏する。
【図面の簡単な説明】
【００１１】
【図１】図１は、実施形態１に係るアース端子の概略構成を表す斜視図である。
【図２】図２は、実施形態１に係るアース端子の概略構成を表す斜視図である。
【図３】図３は、実施形態１に係るアース端子の概略構成を表す側面図である。
【図４】図４は、実施形態１に係るアース端子の概略構成を表す側面図である。
【図５】図５は、実施形態２に係るアース端子の概略構成を表す斜視図である。
【図６】図６は、実施形態２に係るアース端子の概略構成を表す斜視図である。
【図７】図７は、実施形態２に係るアース端子の概略構成を表す側面図である。
【図８】図８は、実施形態２に係るアース端子の突出部を含む断面図である。
【図９】図９は、実施形態３に係るアース端子の概略構成を表す斜視図である。
【図１０】図１０は、実施形態３に係るアース端子の概略構成を表す斜視図である。
【図１１】図１１は、実施形態３に係るアース端子の概略構成を表す側面図である。
【図１２】図１２は、実施形態３に係るアース端子の突出部を含む断面図である。
【図１３】図１３は、実施形態４に係るアース端子の概略構成を表す斜視図である。
【図１４】図１４は、実施形態４に係るアース端子の概略構成を表す斜視図である。
【図１５】図１５は、実施形態４に係るアース端子の概略構成を表す側面図である。
【図１６】図１６は、実施形態４に係るアース端子の突出部を含む断面図である。
【図１７】図１７は、実施形態５に係るアース端子の概略構成を表す斜視図である。
【図１８】図１８は、実施形態５に係るアース端子の概略構成を表す斜視図である。
【図１９】図１９は、実施形態５に係るアース端子の概略構成を表す側面図である。
【図２０】図２０は、実施形態５に係るアース端子の突出部を含む断面図である。
【発明を実施するための形態】
【００１２】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００１３】
［実施形態１］
図１、図２は、実施形態１に係るアース端子の概略構成を表す斜視図である。図３、図４は、実施形態１に係るアース端子の概略構成を表す側面図である。
【００１４】
図１、図２、図３、図４に示す本実施形態のアース端子１０１は、例えば、自動車等に使用されるワイヤハーネスＷＨ１等に適用され、ボルト等の締結部材１を介して車両ボディ等の固定部２の接地面３に取り付けられ、いわゆるアースをとるものである。ワイヤハーネスＷＨ１は、例えば、自動車等に搭載される各装置間の接続のために、電源供給や信号通信に用いられるものである。車両ボディ等の固定部２は、例えば、導電性の金属からなる筐体の表面に塗装膜等の非導電膜が施されることで平面状の接地面３が構成され、当該接地面３に締結部材１を締結するための螺合孔４が形成される。アース端子１０１は、典型的には、接地面３に対向した状態で締結部材１、螺合孔４を介して当該接地面３に締結され、締結部材１と螺合孔４との接触部位等を介して固定部２と電気的に接続され接地される。
【００１５】
ここで、固定部２の接地面３は、例えば、製造の過程等で溶接や切削加工等で生じた微細な異物５が付着している場合がある。異物５は、例えば、上記のように接地面３に塗装膜が施されている場合には当該塗装膜によって覆われた状態で接地面３に固定化されてしまう場合もある。本実施形態のアース端子１０１は、上記のように、例えば、接地面３に微細な異物５が付着していた場合であっても、適正に接地面３に締結することができる構成を備えるものである。以下、各図を参照してアース端子１０１の構成について詳細に説明する。
【００１６】
なお、以下の説明では、締結部材１によって締結される方向を「締結方向」という場合がある。典型的には、締結方向は、平面状に形成される接地面３の法線方向に沿った方向に相当する。また、ワイヤハーネスＷＨ１を構成する電線Ｗが線状に延びる方向「延在方向」という場合がある。また、以下の説明で用いる各方向は、特に断りのない限り、各部が相互に組み付けられた状態での方向を表すものとする。
【００１７】
本実施形態のアース端子１０１が適用されるワイヤハーネスＷＨ１は、例えば、車両に搭載される各装置間の接続のために、電源供給や信号通信に用いられる複数の電線Ｗを束にして集合部品とし、コネクタ等で複数の電線Ｗを一度に各装置に接続するようにしたものである。ワイヤハーネスＷＨ１は、電線Ｗと、当該電線Ｗの端末に設けられた当該アース端子１０１とを備える。電線Ｗは、いわゆるアース線であり、例えば、導電性を有する線状の線状導体Ｗ１と、当該線状導体Ｗ１の外側を覆う絶縁性の被覆部Ｗ２とを含んで構成される。本実施形態の線状導体Ｗ１は、導電性の金属、例えば、銅、銅合金、アルミニウム、アルミニウム合金等の素線を複数束ねた芯線であるが、複数の素線を撚り合わせた撚り芯線であってもよいし金属棒等であってもよい。被覆部Ｗ２は、線状導体Ｗ１の外周側を被覆する電線被覆である。被覆部Ｗ２は、例えば、絶縁性の樹脂材料（ＰＰやＰＶＣ、架橋ＰＥ等。耐摩耗性や耐薬品性、耐熱性等に配慮して適宜選定される。）等を押出成形することによって形成される。電線Ｗは、少なくとも線状導体Ｗ１の一方の端末において、被覆部Ｗ２が剥ぎ取られており、当該線状導体Ｗ１の一方の端末が被覆部Ｗ２から露出しており、当該露出している線状導体Ｗ１の端末にアース端子１０１が設けられる。ここでは、電線Ｗは、線状に延びる延在方向に対してほぼ同じ径で延びるように形成され、線状導体Ｗ１の断面形状（延在方向と交差する方向の断面形状）が略円形状、被覆部Ｗ２の断面形状（延在方向と交差する方向の断面形状）が略円環形状となっており、全体として略円形状の断面形状となっている。ワイヤハーネスＷＨ１は、この他、さらに、グロメット、プロテクタ、固定具等を含んで構成されてもよい。
【００１８】
そして、本実施形態のアース端子１０１は、電線接続部１０２と、複数の締結部１０３と、オフセット部１０４と、段差連結部１０５とを備え、全体が一体で導電性の金属、例えば、銅、銅合金、アルミニウム、アルミニウム合金等によって構成される。アース端子１０１は、例えば、電線接続部１０２、複数の締結部１０３、オフセット部１０４、段差連結部１０５等の各部に対応した形状に打ち抜かれた一枚の板金をプレス成形することにより各部が一体で形成される。ここでは、アース端子１０１は、２つの締結部１０３を含んで構成され、すなわち、第１の締結部１０３である第１締結部１０３Ａと、第２の締結部１０３である第２締結部１０３Ｂとを含んで構成される。そして、アース端子１０１は、延在方向の一方側から他方側に向かって電線接続部１０２、オフセット部１０４、第１締結部１０３Ａ、段差連結部１０５、第２締結部１０３Ｂの順で並んで一体で形成される。なお、以下の説明では、第１締結部１０３Ａと第２締結部１０３Ｂとを特に区別して説明する必要がない場合には単に「締結部１０３」という場合がある。
【００１９】
電線接続部１０２は、電線Ｗが接続される部分である。より詳細には、電線接続部１０２は、電線Ｗの端末が配置される基部１０６と、電線Ｗの線状導体Ｗ１が接続される導体接続部１０７と、電線Ｗの被覆部Ｗ２が接続される被覆接続部１０８とを含んで構成される。基部１０６は、電線Ｗの端末が載置される部分であり、略矩形板状に形成される。導体接続部１０７は、線状導体Ｗ１の端末が圧着される部分であり、ここでは一対の加締め片１０７ａを含んで構成される。被覆接続部１０８は、被覆部Ｗ２の端末が圧着される部分であり、ここでは一対の加締め片１０８ａを含んで構成される。加締め片１０７ａ、１０８ａは、それぞれ電線Ｗの延在方向と直交する方向に沿って基部１０６から突出するように形成される帯状の部分である。加締め片１０７ａは、基部１０６の延在方向一方側の端部、ここでは、オフセット部１０４側の端部に形成され、加締め片１０８ａは、基部１０６の延在方向他方側の端部、ここでは、オフセット部１０４側とは反対側の端部に加締め片１０７ａに対して延在方向に沿って間隔をあけて形成される。電線接続部１０２は、電線Ｗにおいて線状導体Ｗ１が露出した側の端末が基部１０６上に載置され、かつ、線状導体Ｗ１が加締め片１０７ａ側に位置し、被覆部Ｗ２が加締め片１０８ａ側に位置した状態で、加締め片１０７ａと共に線状導体Ｗ１が加締められ、加締め片１０８ａと共に被覆部Ｗ２が加締められる。これにより、電線接続部１０２は、導体接続部１０７にて加締め片１０７ａと基部１０６との間に線状導体Ｗ１が圧着され、被覆接続部１０８にて加締め片１０８ａと基部１０６との間に被覆部Ｗ２が圧着される。
【００２０】
複数の締結部１０３は、それぞれ導体接続部１０７を含む電線接続部１０２と接続されて平面状に形成され、接地面３と対向した状態で締結部材１を介して当該接地面３に締結可能な部分である。本実施形態の複数の締結部１０３は、上述したように第１締結部１０３Ａと、第２締結部１０３Ｂとを含んで構成される。第１締結部１０３Ａ、第２締結部１０３Ｂは、共に略矩形板状に形成される。第１締結部１０３Ａは、延在方向の一端側にオフセット部１０４を介して電線接続部１０２の基部１０６が接続され、延在方向の他端側に段差連結部１０５が接続される。第２締結部１０３Ｂは、延在方向の一端側に段差連結部１０５が接続される。言い換えれば、第１締結部１０３Ａは、延在方向の他端側に段差連結部１０５を介して第２締結部１０３Ｂが接続される。第１締結部１０３Ａ、第２締結部１０３Ｂは、接地面３に締結された状態で、締結方向に対して当該接地面３と対向し略平行となる平面状に形成され、当該平面の法線が延在方向と交差する。ここでは、第１締結部１０３Ａ、第２締結部１０３Ｂは、典型的には、当該平面の法線が締結方向に沿う。
【００２１】
そして、第１締結部１０３Ａ、第２締結部１０３Ｂは、共に略中央に締結孔１０３ａが形成されている。締結孔１０３ａは、それぞれ第１締結部１０３Ａ、第２締結部１０３Ｂを締結方向に貫通しており、締結部材１を挿入可能である。ここでは、締結部材１は、六角形の頭部１ａを有するボルトであり、ワッシャ１ｂ、及び、軸部１ｃを含んで一体で形成される。ワッシャ１ｂは、頭部１ａよりも大径の円環板状に形成される。軸部１ｃは、頭部１ａからワッシャ１ｂ側に棒状に延在し接地面３の螺合孔４と螺合可能な螺合溝が形成される。第１締結部１０３Ａ、第２締結部１０３Ｂは、それぞれ締結孔１０３ａに締結部材１の軸部１ｃが挿入され、当該軸部１ｃが接地面３の螺合孔４に螺合することでワッシャ１ｂと接地面３との間に挟持されて締付力が作用し当該接地面３に締結可能である。第１締結部１０３Ａ、第２締結部１０３Ｂは、締結部材１を介して接地面３の螺合孔４に締結された状態で、締結部材１の軸部１ｃや螺合孔４の内周面を介して固定部２と電気的に接続される。複数の締結部１０３、ここでは、第１締結部１０３Ａ、第２締結部１０３Ｂは、それぞれ固定部２と電気的に接続可能な構造となっている。
【００２２】
オフセット部１０４は、電線接続部１０２の基部１０６と第１締結部１０３Ａとを締結方向に沿ってオフセットさせて連結する部分である。オフセット部１０４は、基部１０６から延在方向に沿って延在する板状に形成され基部１０６と第１締結部１０３Ａとを連結すると共に、基部１０６と第１締結部１０３Ａとの間で締結方向一方側に屈曲することで、基部１０６と第１締結部１０３Ａとを締結方向に沿って段差をつけて連結し、相互にオフセットさせる。
【００２３】
段差連結部１０５は、複数の締結部１０３、ここでは、第１締結部１０３Ａと第２締結部１０３Ｂとを締結部材１による締結方向に沿って段差をつけて連結する部分である。言い換えれば、段差連結部１０５は、第１締結部１０３Ａと第２締結部１０３Ｂとを締結方向に沿ってオフセットさせて連結する部分である。段差連結部１０５は、延在方向の一端側に第１締結部１０３Ａが接続され、他端側に第２締結部１０３Ｂが接続される。ここでは、段差連結部１０５は、第１締結部１０３Ａを基準としてオフセット部１０４による基部１０６のオフセットの方向と同じ方向に第２締結部１０３Ｂをオフセットさせる。また、段差連結部１０５は、第１締結部１０３Ａと第２締結部１０３Ｂとのオフセット量（第１締結部１０３Ａと第２締結部１０３Ｂとの段差高さに相当）Ｄ１（図３参照）がオフセット部１０４による第１締結部１０３Ａと基部１０６とのオフセット量（第１締結部１０３Ａと基部１０６との段差高さに相当）Ｄ２（図３参照）より大きくなるように形成される。
【００２４】
これにより、アース端子１０１は、基部１０６、導体接続部１０７、被覆接続部１０８を含む電線接続部１０２が締結方向に対して、段差連結部１０５によって連結される複数の締結部１０３の間の範囲に位置することとなる。すなわち、アース端子１０１は、オフセット部１０４と、段差連結部１０５との幾何学的な関係により、締結方向に沿って、電線接続部１０２の一方側に第１締結部１０３Ａがオフセットされて位置すると共に、電線接続部１０２の他方側に第２締結部１０３Ｂがオフセットされて位置する位置関係となり、第１締結部１０３Ａ、第２締結部１０３Ｂ、基部１０６がそれぞれ異なる平面上にオフセットされて位置することとなる。
【００２５】
そして、上記のように構成されるアース端子１０１では、複数の締結部１０３のいずれか１つは、締結方向に対して段差連結部１０５とは反対側の面が接地面３側に位置して当該接地面３に締結される。例えば、アース端子１０１は、接地面３において、複数の締結部１０３のうち第２締結部１０３Ｂが締結される螺合孔４の近傍に異物５等の物体が付着している場合、図１、図３に示すように、第１締結部１０３Ａが接地面３側に位置され当該第１締結部１０３Ａが接地面３に締結される。一方、アース端子１０１は、接地面３において、複数の締結部１０３のうち第１締結部１０３Ａが締結される螺合孔４の近傍に異物５等の物体が付着している場合、図２、図４に示すように、電線Ｗを延在方向周りに捻じってアース端子１０１を反転させた状態で第２締結部１０３Ｂが接地面３側に位置され当該第２締結部１０３Ｂが接地面３に締結される。これにより、アース端子１０１は、接地面３の状態に応じて複数の締結部１０３、ここでは、第１締結部１０３Ａと第２締結部１０３Ｂとを使い分けることで、接地面３に対するアース端子１０１の相対的な位置関係をかえずに当該接地面３に締結することができる。
【００２６】
以上で説明したアース端子１０１によれば、線状導体Ｗ１が接続される導体接続部１０７と、それぞれ導体接続部１０７と接続されて平面状に形成され、接地面３と対向した状態で締結部材１を介して当該接地面３に締結可能である複数の締結部１０３と、複数の締結部１０３を締結部材１による締結方向に沿って段差をつけて連結する段差連結部１０５とを備え、複数の締結部１０３のいずれか１つは、締結方向に対して段差連結部１０５とは反対側の面が接地面３側に位置して当該接地面３に締結される。以上で説明したワイヤハーネスＷＨ１によれば、導電性を有する線状の線状導体Ｗ１を含んで構成される電線Ｗと、上記アース端子１０１とを備える。
【００２７】
したがって、アース端子１０１、ワイヤハーネスＷＨ１は、例えば、接地面３に微細な異物５等の物体が付着していた場合であっても、接地面３に締結される締結部１０３が複数設けられることで、異物５に乗り上げずに接地面３に締結される締結部１０３が存在する可能性を向上することができる。この場合、アース端子１０１、ワイヤハーネスＷＨ１は、複数の締結部１０３が段差連結部１０５を介して締結方向に沿って段差をつけて連結されることから、接地面３の状態に応じて当該接地面３に異物５等が付着していない位置の締結部１０３を選択的に接地面３側に位置するようにして当該接地面３に締結することができ、その上で、接地面３に異物５等が付着している位置の締結部１０３が段差連結部１０５を介して接地面３から離間して位置するので、当該異物５の影響を受けることを抑制することができる。これにより、アース端子１０１、ワイヤハーネスＷＨ１は、複数の締結部１０３のうちのいずれかが接地面３に対して適正な位置関係、すなわち、略平行に対向する位置関係で接地面３に締結される可能性を向上することができる。例えば、アース端子１０１、ワイヤハーネスＷＨ１は、締結部１０３が異物５に乗り上げて接地面３に対して傾いた状態で締結されると適正な締結力を確保できなかったり振動で締結部材１が緩みやすくなったりするおそれがある。これに対して、アース端子１０１、ワイヤハーネスＷＨ１は、上記のように適正な位置関係で締結される締結部１０３が存在する可能性を向上することができるので、複数の締結部１０３のうちのいずれかが適正に締結された状態を確保しやすくすることができる。この結果、アース端子１０１、ワイヤハーネスＷＨ１は、適正に接地面３に対向し締結することができる締結部１０３が存在する可能性を向上することができ、接地面３に適正に締結することができる。
【００２８】
さらに、以上で説明したアース端子１０１、ワイヤハーネスＷＨ１によれば、導体接続部１０７は、締結方向に対して、段差連結部１０５によって連結される複数の締結部１０３の間の範囲に位置する。したがって、アース端子１０１、ワイヤハーネスＷＨ１は、接地面３の状態に応じて複数の締結部１０３、ここでは、第１締結部１０３Ａと第２締結部１０３Ｂとを反転させて使い分ける際にいずれの場合でも導体接続部１０７が接地面３に干渉することを抑制することができるので、この点でも接地面３に適正に締結することができる。
【００２９】
［実施形態２］
図５、図６は、実施形態２に係るアース端子の概略構成を表す斜視図である。図７は、実施形態２に係るアース端子の概略構成を表す側面図である。図８は、実施形態２に係るアース端子の突出部を含む断面図である。実施形態２に係るアース端子、及び、ワイヤハーネスは、突出部を備える点で実施形態１とは異なる。なお、図８は、締結方向、及び、延在方向と直交する方向に沿った断面図であり、ここではわかり易くするため締結部材の図示を省略している。
【００３０】
図５、図６、図７、図８に示す本実施形態のアース端子２０１は、例えば、ワイヤハーネスＷＨ２等に適用される。ワイヤハーネスＷＨ２は、電線Ｗと、当該電線Ｗの端末に設けられた当該アース端子２０１とを備える。そして、本実施形態のアース端子２０１は、電線接続部１０２と、複数の締結部１０３と、オフセット部１０４と、段差連結部１０５とを備えると共に、さらに突出部２０９を備え、全体が一体で導電性の金属によって構成される。電線接続部１０２、締結部１０３、オフセット部１０４、段差連結部１０５は、若干形状、大きさ等が異なるものの上述したアース端子１０１の電線接続部１０２、締結部１０３、オフセット部１０４、段差連結部１０５とほぼ同様の構成である。
【００３１】
突出部２０９は、締結部１０３から突出して形成され、締結部１０３と接地面３とが対向する状態で接地面３と当接し締結部１０３と当該接地面３との間に異物回避空間部２１０を形成する部分である。異物回避空間部２１０は、突出部２０９が締結部１０３と接地面３との間のスペーサとして機能することで締結部１０３と接地面３との間に接地面３上の物体である異物５を収容可能な空間部として形成される。ここでは、突出部２０９は、複数の締結部１０３のそれぞれにおいて、締結部１０３から段差連結部１０５とは反対側に突出して形成され締結部１０３と接地面３とが対向する状態で当該接地面３と当接し異物回避空間部２１０を形成する。
【００３２】
本実施形態の突出部２０９は、締結部１０３の端部が折り曲げられて形成されるフランジ部２１１を含んで構成される。フランジ部２１１は、複数の締結部１０３、ここでは、第１締結部１０３Ａ、第２締結部１０３Ｂにそれぞれ設けられる。フランジ部２１１は、第１締結部１０３Ａにおいて、延在方向に沿った両端部が、それぞれ段差連結部１０５とは反対側にほぼ垂直に折り曲げられるようにして一対で形成される。同様に、フランジ部２１１は、第２締結部１０３Ｂにおいて、延在方向に沿った両端部が、それぞれ段差連結部１０５とは反対側にほぼ垂直に折り曲げられるようにして一対で形成される。つまり、第１締結部１０３Ａのフランジ部２１１と第２締結部１０３Ｂのフランジ部２１１とは、互いに反対側に向けて相互に離間するように突出している。第１締結部１０３Ａ、第２締結部１０３Ｂそれぞれに設けられた一対のフランジ部２１１は、延在方向、及び、締結方向に直交する方向に対して間隔をあけて略平行に対向すると共に延在方向に沿って延在する。突出部２０９は、第１締結部１０３Ａの各フランジ部２１１の先端が異物５を介さずに接地面３と当接した状態で、第１締結部１０３Ａが接地面３に対して適正な位置関係、すなわち、略平行に対向する位置関係となるように、当該各フランジ部２１１の突出量が設定される。同様に、突出部２０９は、第２締結部１０３Ｂの各フランジ部２１１の先端が異物５を介さずに接地面３と当接した状態で、第２締結部１０３Ｂが接地面３に対して適正な位置関係、すなわち、略平行に対向する位置関係となるように、当該各フランジ部２１１の突出量が設定される。また、突出部２０９は、各フランジ部２１１の突出量が予め想定される異物５の大きさより大きく形成されることが好ましい。
【００３３】
そして、異物回避空間部２１０は、複数の締結部１０３のうち第１締結部１０３Ａが接地面３側に位置され接地面３に締結される場合には、第１締結部１０３Ａに設けられた突出部２０９を構成する各フランジ部２１１の先端が接地面３と当接し第１締結部１０３Ａと接地面３との間のスペーサとして機能することで、第１締結部１０３Ａと接地面３との間に区画される。一方、異物回避空間部２１０は、複数の締結部１０３のうち第２締結部１０３Ｂが接地面３側に位置され接地面３に締結される場合には、第２締結部１０３Ｂに設けられた突出部２０９を構成する各フランジ部２１１の先端が接地面３と当接し第２締結部１０３Ｂと接地面３との間のスペーサとして機能することで、第２締結部１０３Ｂと接地面３との間に区画される。
【００３４】
以上で説明したアース端子２０１、ワイヤハーネスＷＨ２は、複数の締結部１０３が段差連結部１０５を介して締結方向に沿って段差をつけて連結されることから、接地面３の状態に応じて当該接地面３に異物５等が付着していない位置の締結部１０３を選択的に接地面３側に位置するようにして当該接地面３に締結することができ、その上で、接地面３に異物５等が付着している位置の締結部１０３が段差連結部１０５を介して接地面３から離間して位置するので、当該異物５の影響を受けることを抑制することができる。この結果、アース端子２０１、ワイヤハーネスＷＨ２は、適正に接地面３に対向し締結することができる締結部１０３が存在する可能性を向上することができ、接地面３に適正に締結することができる。
【００３５】
さらに、以上で説明したアース端子２０１、ワイヤハーネスＷＨ２によれば、締結方向に対して、締結部１０３から段差連結部１０５とは反対側に突出して形成され締結部１０３と接地面３とが対向する状態で当該接地面３と当接し当該締結部１０３と当該接地面３との間に接地面３上の物体である異物５を収容可能である異物回避空間部２１０を形成する突出部２０９を備える。したがって、アース端子２０１、ワイヤハーネスＷＨ２は、締結部１０３から突出して形成される突出部２０９の先端が接地面３と当接することで、締結部１０３が接地面３と面当たりする場合と比較して、接地面３との接触面積を相対的に小さくすることができる。また、アース端子２０１、ワイヤハーネスＷＨ２は、締結部１０３と接地面３との間に異物回避空間部２１０が形成されるので、当該異物回避空間部２１０によって接地面３上の物体としての異物５を収容し当該異物５への乗り上げを回避することができる。この結果、アース端子２０１、ワイヤハーネスＷＨ２は、異物５に乗り上げる可能性を抑制することができ、上記のように適正な位置関係で締結部１０３が接地面３に締結される可能性を向上することができるので、より確実に接地面３に適正に締結することができる。
【００３６】
さらに、以上で説明したアース端子２０１、ワイヤハーネスＷＨ２によれば、突出部２０９は、締結部１０３の端部が折り曲げられて形成されるフランジ部２１１を含む。したがって、アース端子２０１、ワイヤハーネスＷＨ２は、締結部１０３から突出した突出部２０９をフランジ部２１１によって容易に設けることができると共に、当該フランジ部２１１が締結部１０３の補強部材としても機能し締結部１０３の強度を向上することもできる。
【００３７】
［実施形態３］
図９、図１０は、実施形態３に係るアース端子の概略構成を表す斜視図である。図１１は、実施形態３に係るアース端子の概略構成を表す側面図である。図１２は、実施形態３に係るアース端子の突出部を含む断面図である。実施形態３に係るアース端子、及び、ワイヤハーネスは、突出部の構成が実施形態２とは異なる。なお、図１２は、延在方向に沿った断面図である。
【００３８】
図９、図１０、図１１、図１２に示す本実施形態のアース端子３０１は、例えば、ワイヤハーネスＷＨ３等に適用される。ワイヤハーネスＷＨ３は、電線Ｗと、当該電線Ｗの端末に設けられた当該アース端子３０１とを備える。そして、本実施形態のアース端子３０１は、上述したアース端子２０１の突出部２０９にかえて突出部３０９を備える。アース端子３０１の突出部３０９以外の構成は、若干形状、大きさ等が異なるものの上述したアース端子２０１とほぼ同様の構成である。
【００３９】
突出部３０９は、締結部１０３から突出して形成され、締結部１０３と接地面３とが対向する状態で接地面３と当接し締結部１０３と当該接地面３との間に異物回避空間部３１０を形成する部分である。異物回避空間部３１０は、突出部３０９が締結部１０３と接地面３との間のスペーサとして機能することで締結部１０３と接地面３との間に接地面３上の物体である異物５を収容可能な空間部として形成される。ここでは、突出部３０９は、複数の締結部１０３のそれぞれにおいて、締結部１０３から段差連結部１０５とは反対側に突出して形成され締結部１０３と接地面３とが対向する状態で当該接地面３と当接し異物回避空間部３１０を形成する。
【００４０】
本実施形態の突出部３０９は、締結部１０３の接地面３と対向する面から当該接地面３側に向けて突出して点状に形成される突部３１１を含んで構成される。突部３１１は、複数の締結部１０３、ここでは、第１締結部１０３Ａ、第２締結部１０３Ｂにそれぞれ設けられる。突部３１１は、第１締結部１０３Ａにおいて、締結孔１０３ａを囲うように複数、ここでは、略矩形板状に形成される第１締結部１０３Ａの各角部に１つずつ、合計４つが段差連結部１０５とは反対側に向けて突出して形成される。同様に、突部３１１は、第２締結部１０３Ｂにおいて、締結孔１０３ａを囲うように複数、ここでは、略矩形板状に形成される第２締結部１０３Ｂの各角部に１つずつ、合計４つが段差連結部１０５とは反対側に向けて突出して形成される。つまり、第１締結部１０３Ａの突部３１１と第２締結部１０３Ｂの突部３１１とは、互いに反対側に向けて相互に離間するように突出している。第１締結部１０３Ａ、第２締結部１０３Ｂそれぞれに設けられた突部３１１は、例えば、丸型のへこみ(インデント)加工によって段差連結部１０５とは反対側に向けて突出した点状の形状に形成される。突出部３０９は、第１締結部１０３Ａの各突部３１１の先端が異物５を介さずに接地面３と当接した状態で、第１締結部１０３Ａが接地面３に対して適正な位置関係、すなわち、略平行に対向する位置関係となるように、当該各突部３１１の突出量が設定される。同様に、突出部３０９は、第２締結部１０３Ｂの各突部３１１の先端が異物５を介さずに接地面３と当接した状態で、第２締結部１０３Ｂが接地面３に対して適正な位置関係、すなわち、略平行に対向する位置関係となるように、当該各突部３１１の突出量が設定される。また、突出部３０９は、各突部３１１の突出量が予め想定される異物５の大きさより大きく形成されることが好ましい。
【００４１】
そして、異物回避空間部３１０は、複数の締結部１０３のうち第１締結部１０３Ａが接地面３側に位置され接地面３に締結される場合には、第１締結部１０３Ａに設けられた突出部３０９を構成する各突部３１１の先端が接地面３と当接し第１締結部１０３Ａと接地面３との間のスペーサとして機能することで、第１締結部１０３Ａと接地面３との間に区画される。一方、異物回避空間部３１０は、複数の締結部１０３のうち第２締結部１０３Ｂが接地面３側に位置され接地面３に締結される場合には、第２締結部１０３Ｂに設けられた突出部３０９を構成する各突部３１１の先端が接地面３と当接し第２締結部１０３Ｂと接地面３との間のスペーサとして機能することで、第２締結部１０３Ｂと接地面３との間に区画される。
【００４２】
以上で説明したアース端子３０１、ワイヤハーネスＷＨ３は、複数の締結部１０３が段差連結部１０５を介して締結方向に沿って段差をつけて連結されることから、接地面３の状態に応じて当該接地面３に異物５等が付着していない位置の締結部１０３を選択的に接地面３側に位置するようにして当該接地面３に締結することができ、その上で、接地面３に異物５等が付着している位置の締結部１０３が段差連結部１０５を介して接地面３から離間して位置するので、当該異物５の影響を受けることを抑制することができる。この結果、アース端子３０１、ワイヤハーネスＷＨ３は、適正に接地面３に対向し締結することができる締結部１０３が存在する可能性を向上することができ、接地面３に適正に締結することができる。
【００４３】
さらに、以上で説明したアース端子３０１、ワイヤハーネスＷＨ３は、締結部１０３から突出して形成される突出部３０９の先端が接地面３と当接することで、接地面３との接触面積を相対的に小さくすることができると共に、締結部１０３と接地面３との間に異物回避空間部３１０が形成されるので、異物５に乗り上げる可能性を抑制することができ、より確実に接地面３に適正に締結することができる。
【００４４】
さらに、以上で説明したアース端子３０１、ワイヤハーネスＷＨ３によれば、突出部３０９は、締結部１０３の接地面３と対向する面から当該接地面３側に向けて突出して点状に形成される突部３１１を含む。したがって、アース端子３０１、ワイヤハーネスＷＨ３は、締結部１０３から突出した突出部３０９を突部３１１によって容易に設けることができると共に、例えば、フランジ部２１１等と比較して、接地面３との接触面積を相対的により小さくすることができ、異物５に乗り上げる可能性をより抑制することができる。
【００４５】
［実施形態４］
図１３、図１４は、実施形態４に係るアース端子の概略構成を表す斜視図である。図１５は、実施形態４に係るアース端子の概略構成を表す側面図である。図１６は、実施形態４に係るアース端子の突出部を含む断面図である。実施形態４に係るアース端子、及び、ワイヤハーネスは、突出部の構成が実施形態２、３とは異なる。なお、図１６は、延在方向に沿った断面図であり、ここではわかり易くするため締結部材の図示を省略している。
【００４６】
図１３、図１４、図１５、図１６に示す本実施形態のアース端子４０１は、例えば、ワイヤハーネスＷＨ４等に適用される。ワイヤハーネスＷＨ４は、電線Ｗと、当該電線Ｗの端末に設けられた当該アース端子４０１とを備える。そして、本実施形態のアース端子４０１は、上述したアース端子２０１の突出部２０９にかえて突出部４０９を備える。アース端子４０１の突出部４０９以外の構成は、若干形状、大きさ等が異なるものの上述したアース端子２０１とほぼ同様の構成である。
【００４７】
突出部４０９は、締結部１０３から突出して形成され、締結部１０３と接地面３とが対向する状態で接地面３と当接し締結部１０３と当該接地面３との間に異物回避空間部４１０を形成する部分である。異物回避空間部４１０は、突出部４０９が締結部１０３と接地面３との間のスペーサとして機能することで締結部１０３と接地面３との間に接地面３上の物体である異物５を収容可能な空間部として形成される。ここでは、突出部４０９は、複数の締結部１０３のそれぞれにおいて、締結部１０３から段差連結部１０５とは反対側に突出して形成され締結部１０３と接地面３とが対向する状態で当該接地面３と当接し異物回避空間部４１０を形成する。
【００４８】
本実施形態の突出部４０９は、接地面３側に向けて突出して環状に形成され、突出先端に締結部材１が挿入される締結孔１０３ａが形成される絞り部４１１を含んで構成される。絞り部４１１は、複数の締結部１０３、ここでは、第１締結部１０３Ａ、第２締結部１０３Ｂにそれぞれ設けられる。絞り部４１１は、第１締結部１０３Ａにおいて、締結孔１０３ａの部分が窪んだような形状で１つ形成され、当該窪みの底部に締結孔１０３ａが形成される。同様に、絞り部４１１は、第２締結部１０３Ｂにおいて、締結孔１０３ａの部分が窪んだような形状で１つ形成され、当該窪みの底部に締結孔１０３ａが形成される。第１締結部１０３Ａ、第２締結部１０３Ｂそれぞれに設けられた絞り部４１１は、例えば、プレス加工等によって接地面３と対向する面から段差連結部１０５とは反対側に向けて相互に離間するように突出した形状に形成される。つまり、第１締結部１０３Ａの絞り部４１１と第２締結部１０３Ｂの絞り部４１１とは、互いに反対側に向けて突出している。突出部４０９は、第１締結部１０３Ａの各絞り部４１１の先端が異物５を介さずに接地面３と当接した状態で、第１締結部１０３Ａが接地面３に対して適正な位置関係、すなわち、略平行に対向する位置関係となるように、当該絞り部４１１の突出量が設定される。同様に、突出部４０９は、第２締結部１０３Ｂの各絞り部４１１の先端が異物５を介さずに接地面３と当接した状態で、第２締結部１０３Ｂが接地面３に対して適正な位置関係、すなわち、略平行に対向する位置関係となるように、当該絞り部４１１の突出量が設定される。また、突出部４０９は、各絞り部４１１の突出量が予め想定される異物５の大きさより大きく形成されることが好ましい。
【００４９】
そして、異物回避空間部４１０は、複数の締結部１０３のうち第１締結部１０３Ａが接地面３側に位置され接地面３に締結される場合には、第１締結部１０３Ａに設けられた突出部４０９を構成する各絞り部４１１の先端が接地面３と当接し第１締結部１０３Ａと接地面３との間のスペーサとして機能することで、第１締結部１０３Ａと接地面３との間に区画される。一方、異物回避空間部４１０は、複数の締結部１０３のうち第２締結部１０３Ｂが接地面３側に位置され接地面３に締結される場合には、第２締結部１０３Ｂに設けられた突出部４０９を構成する各絞り部４１１の先端が接地面３と当接し第２締結部１０３Ｂと接地面３との間のスペーサとして機能することで、第２締結部１０３Ｂと接地面３との間に区画される。
【００５０】
以上で説明したアース端子４０１、ワイヤハーネスＷＨ４は、複数の締結部１０３が段差連結部１０５を介して締結方向に沿って段差をつけて連結されることから、接地面３の状態に応じて当該接地面３に異物５等が付着していない位置の締結部１０３を選択的に接地面３側に位置するようにして当該接地面３に締結することができ、その上で、接地面３に異物５等が付着している位置の締結部１０３が段差連結部１０５を介して接地面３から離間して位置するので、当該異物５の影響を受けることを抑制することができる。この結果、アース端子４０１、ワイヤハーネスＷＨ４は、適正に接地面３に対向し締結することができる締結部１０３が存在する可能性を向上することができ、接地面３に適正に締結することができる。
【００５１】
さらに、以上で説明したアース端子４０１、ワイヤハーネスＷＨ４は、締結部１０３から突出して形成される突出部４０９の先端が接地面３と当接することで、接地面３との接触面積を相対的に小さくすることができると共に、締結部１０３と接地面３との間に異物回避空間部４１０が形成されるので、異物５に乗り上げる可能性を抑制することができ、より確実に接地面３に適正に締結することができる。
【００５２】
さらに、以上で説明したアース端子４０１、ワイヤハーネスＷＨ４によれば、突出部４０９は、接地面３側に向けて突出して環状に形成され、突出先端に締結部材１が挿入される締結孔１０３ａが形成される絞り部４１１を含む。したがって、アース端子４０１、ワイヤハーネスＷＨ４は、締結部１０３から突出した突出部４０９を絞り部４１１によって相対的に少ない加工回数で容易に設けることができると共に、例えば、フランジ部２１１等と比較して、接地面３との接触面積を相対的により小さくすることができ、異物５に乗り上げる可能性をより抑制することができる。
【００５３】
［実施形態５］
図１７、図１８は、実施形態５に係るアース端子の概略構成を表す斜視図である。図１９は、実施形態５に係るアース端子の概略構成を表す側面図である。図２０は、実施形態５に係るアース端子の突出部を含む断面図である。実施形態５に係るアース端子、及び、ワイヤハーネスは、突出部の構成が実施形態２、３、４とは異なる。なお、図２０は、締結方向、及び、延在方向と直交する方向に沿った断面図であり、ここではわかり易くするため締結部材の図示を省略している。
【００５４】
図１７、図１８、図１９、図２０に示す本実施形態のアース端子５０１は、例えば、ワイヤハーネスＷＨ５等に適用される。ワイヤハーネスＷＨ５は、電線Ｗと、当該電線Ｗの端末に設けられた当該アース端子５０１とを備える。そして、本実施形態のアース端子５０１は、上述したアース端子２０１の突出部２０９にかえて突出部５０９を備える。アース端子５０１の突出部５０９以外の構成は、若干形状、大きさ等が異なるものの上述したアース端子２０１とほぼ同様の構成である。
【００５５】
突出部５０９は、締結部１０３から突出して形成され、締結部１０３と接地面３とが対向する状態で接地面３と当接し締結部１０３と当該接地面３との間に異物回避空間部５１０を形成する部分である。異物回避空間部５１０は、突出部５０９が締結部１０３と接地面３との間のスペーサとして機能することで締結部１０３と接地面３との間に接地面３上の物体である異物５を収容可能な空間部として形成される。ここでは、突出部５０９は、複数の締結部１０３のそれぞれにおいて、締結部１０３から段差連結部１０５とは反対側に突出して形成され締結部１０３と接地面３とが対向する状態で当該接地面３と当接し異物回避空間部５１０を形成する。
【００５６】
本実施形態の突出部５０９は、締結部１０３の接地面３と対向する面から当該接地面３側に向けて突出して線状に形成されるビード部５１１を含んで構成される。ビード部５１１は、複数の締結部１０３、ここでは、第１締結部１０３Ａ、第２締結部１０３Ｂにそれぞれ設けられる。ビード部５１１は、第１締結部１０３Ａにおいて、締結孔１０３ａを囲うように複数、ここでは、締結孔１０３ａの周りに放射状に６つが段差連結部１０５とは反対側に向けて突出して形成される。同様に、ビード部５１１は、第２締結部１０３Ｂにおいて、締結孔１０３ａを囲うように複数、ここでは、締結孔１０３ａの周りに放射状に６つが段差連結部１０５とは反対側に向けて突出して形成される。つまり、第１締結部１０３Ａのビード部５１１と第２締結部１０３Ｂのビード部５１１とは、互いに反対側に向けて相互に離間するように突出している。第１締結部１０３Ａ、第２締結部１０３Ｂそれぞれに設けられたビード部５１１は、例えば、長円型のへこみ(ビード)加工によって段差連結部１０５とは反対側に向けて突出した棒状の形状に形成される。突出部５０９は、第１締結部１０３Ａの各ビード部５１１の先端が異物５を介さずに接地面３と当接した状態で、第１締結部１０３Ａが接地面３に対して適正な位置関係、すなわち、略平行に対向する位置関係となるように、当該各ビード部５１１の突出量が設定される。同様に、突出部５０９は、第２締結部１０３Ｂの各ビード部５１１の先端が異物５を介さずに接地面３と当接した状態で、第２締結部１０３Ｂが接地面３に対して適正な位置関係、すなわち、略平行に対向する位置関係となるように、当該各ビード部５１１の突出量が設定される。また、突出部５０９は、各ビード部５１１の突出量が予め想定される異物５の大きさより大きく形成されることが好ましい。
【００５７】
そして、異物回避空間部５１０は、複数の締結部１０３のうち第１締結部１０３Ａが接地面３側に位置され接地面３に締結される場合には、第１締結部１０３Ａに設けられた突出部５０９を構成する各ビード部５１１の先端が接地面３と当接し第１締結部１０３Ａと接地面３との間のスペーサとして機能することで、第１締結部１０３Ａと接地面３との間に区画される。一方、異物回避空間部５１０は、複数の締結部１０３のうち第２締結部１０３Ｂが接地面３側に位置され接地面３に締結される場合には、第２締結部１０３Ｂに設けられた突出部５０９を構成する各ビード部５１１の先端が接地面３と当接し第２締結部１０３Ｂと接地面３との間のスペーサとして機能することで、第２締結部１０３Ｂと接地面３との間に区画される。
【００５８】
以上で説明したアース端子５０１、ワイヤハーネスＷＨ５は、複数の締結部１０３が段差連結部１０５を介して締結方向に沿って段差をつけて連結されることから、接地面３の状態に応じて当該接地面３に異物５等が付着していない位置の締結部１０３を選択的に接地面３側に位置するようにして当該接地面３に締結することができ、その上で、接地面３に異物５等が付着している位置の締結部１０３が段差連結部１０５を介して接地面３から離間して位置するので、当該異物５の影響を受けることを抑制することができる。この結果、アース端子５０１、ワイヤハーネスＷＨ５は、適正に接地面３に対向し締結することができる締結部１０３が存在する可能性を向上することができ、接地面３に適正に締結することができる。
【００５９】
さらに、以上で説明したアース端子５０１、ワイヤハーネスＷＨ５は、締結部１０３から突出して形成される突出部５０９の先端が接地面３と当接することで、接地面３との接触面積を相対的に小さくすることができると共に、締結部１０３と接地面３との間に異物回避空間部５１０が形成されるので、異物５に乗り上げる可能性を抑制することができ、より確実に接地面３に適正に締結することができる。
【００６０】
さらに、以上で説明したアース端子５０１、ワイヤハーネスＷＨ５によれば、突出部５０９は、締結部１０３の接地面３と対向する面から当該接地面３側に向けて突出して線状に形成されるビード部５１１を含む。したがって、アース端子５０１、ワイヤハーネスＷＨ５は、締結部１０３から突出した突出部５０９をビード部５１１によって容易に設けることができると共に、例えば、突部３１１等と比較して、締結部１０３が接地面３に対してより確実に適正な位置関係となるように接地面３と安定して当接することができる。
【００６１】
なお、上述した本発明の実施形態に係るアース端子、及び、ワイヤハーネスは、上述した実施形態に限定されず、特許請求の範囲に記載された範囲で種々の変更が可能である。本実施形態に係るアース端子、及び、ワイヤハーネスは、以上で説明した各実施形態、変形例の構成要素を適宜組み合わせることで構成してもよい。
【００６２】
以上の説明では、固定部２は、例えば、車両ボディ等によって構成され、導電性の金属からなる筐体の表面に塗装膜等の非導電膜が施されることで平面状の接地面３が構成されるものとして説明したが、これに限らず、例えば、塗装膜等が施されていなくてもよい。
【００６３】
以上の説明では、電線Ｗは、被覆部Ｗ２を備えなくてもよく、電線接続部は、被覆接続部を備えなくてもよい。
【００６４】
以上の説明では、アース端子は、２つの締結部を含んで構成されるものとして説明したがこれに限らず、３つ以上を含んで構成されてもよい。
【符号の説明】
【００６５】
３    接地面
５    異物（物体）
１０１、２０１、３０１、４０１、５０１    アース端子
１０２    電線接続部
１０３    締結部
１０５    段差連結部
１０７    導体接続部
２０９、３０９、４０９、５０９    突出部
２１０、３１０、４１０、５１０    異物回避空間部
Ｗ    電線
Ｗ１    線状導体
ＷＨ１、ＷＨ２、ＷＨ３、ＷＨ４、ＷＨ５    ワイヤハーネス
【図１】
2017107730.tif 000003
【図２】
2017107730.tif 000004
【図３】
2017107730.tif 000005
【図４】
2017107730.tif 000006
【図５】
2017107730.tif 000007
【図６】
2017107730.tif 000008
【図７】
2017107730.tif 000009
【図８】
2017107730.tif 000010
【図９】
2017107730.tif 000011
【図１０】
2017107730.tif 000012
【図１１】
2017107730.tif 000013
【図１２】
2017107730.tif 000014
【図１３】
2017107730.tif 000015
【図１４】
2017107730.tif 000016
【図１５】
2017107730.tif 000017
【図１６】
2017107730.tif 000018
【図１７】
2017107730.tif 000019
【図１８】
2017107730.tif 000020
【図１９】
2017107730.tif 000021
【図２０】
2017107730.tif 000022